(57)【要約】      （修正有）【課題】使用角度を変更可能な芳香器を提供する。【解決手段】使用角度を変更可能な芳香器は、中空殻体１と、導熱容器２と、抵抗３と、角度変調可能な電気プラグ装置５と、を含む。該中空殻体は、第１開口１１及び第２開口１３を含み、該導熱容器は、該中空殻体内に結合し、該抵抗は、該導熱容器下側に結合し、該角度変調可能な電気プラグ装置は、該中空殻体の第２開口に結合し、該角度変調可能な電気プラグ装置が該抵抗に電気接続し、これにより、該導熱容器内に開放端からフレグランスユニットを挿入し、該使用角度を変更可能な芳香器は、各場所に携帯して異なる方向のコンセントの外部電源に結合でき、該中空殻体、導熱容器は、該角度変調可能な電気プラグ装置に相対して上向きに回転し、角度を変調し、導熱容器の開放端及び内部のフレグランスユニットを上方向に向け、香りを発生させる。【選択図】図２
0003184724.tif 000002
【実用新案登録請求の範囲】
【請求項１】
中空殻体と、導熱容器と、抵抗と、角度を変調可能な電気プラグ装置と、を含み、
該中空殻体は、第１開口及び第２開口を含み、該導熱容器が中空殻体内に結合し、該導熱容器は、開放端を有し、該開放端は、第１開口に向き、該抵抗は、該導熱容器下側に結合し、該角度変調可能な電気プラグ装置一側は、該中空殻体の第２開口に接続し、該角度変調可能な電気プラグ装置が該抵抗に電気接続する使用角度を変更可能な芳香器。
【請求項２】
前記角度変調可能な電気プラグ装置は、更に、前蓋と、後蓋と、軸蓋と、歯蓋と、を含み、該前蓋一側は、第３軸孔を含み、該前蓋は、該後蓋に結合し、該歯蓋は、該前蓋一側に結合し、前記第１軸孔、第２軸孔、第３軸孔が対応して通過し、該軸蓋は、該前蓋一側に結合し、同時に該軸が該第１軸孔、第２軸孔、第３軸孔を通過し、これにより、該角度変調可能な電気プラグ装置は、異なるコンセント方向に結合することができ、該使用角度を変更可能な芳香器の中空殻体及び内部の導熱容器は、該軸が第１軸孔、第２軸孔、第３軸孔内で回転して該角度変調可能な電気プラグ装置に相対し、上向きに角度を変調する請求項１に記載の使用角度を変更可能な芳香器。
【請求項３】
前記軸蓋は、更に、軸蓋一端に形成される第１凸翼を含み、該歯蓋は、更に、歯蓋一端に形成される第２凸翼を含み、前記角度を変調可能な電気プラグ装置は、更に、接続部を含み、該接続部中央に通口を有し、該接続部が該通口底側端縁から外向きに環溝を形成し、該接続部は、前記中空殻体の第２開口に結合し、該第１凸翼が該環溝一側に結合し、該第２凸翼が該環溝他側に対応して結合し、該角度変調可能な電気プラグ装置は、該接続部により該中空殻体と接続する請求項２に記載の使用角度を変更可能な芳香器。
【請求項４】
更に、回路板を含み、該中空殻体内に結合し、該回路板が該角度変調可能な電気プラグ装置、抵抗に電気接続し、該回路板は、螺子孔を含み、相対して該接続部が螺子柱を凸伸し、螺子を利用し、該螺子孔に貫通設置し、該螺子柱を螺合し、該角度変調可能な電気プラグ装置は、該接続部及び回路板により該中空殻体と接続することができる請求項３に記載の使用角度を変更可能な芳香器。
【請求項５】
前記前蓋一側に更に凹陥した壁面を含み、壁面底側から第１リッジ部を垂直に延伸形成し、前記第１軸孔は、該第１リッジ部に形成され、相対する後蓋一側に更に凹関する壁面を含み、該壁面は、係合孔を有し、該壁面底側に第２リッジ部を垂直に延伸形成し、前記第２軸孔は、該第２リッジ部一側面に形成され、該後蓋は、更に、該係合孔に隣接する操作孔を含み、該角度変調可能な電気プラグ装置は、更に１つの活動歯部材、弾性部材を含み、該弾性部材一側に該活動歯部材を係合し、他側が該前蓋内側に係合する請求項２乃至４の何れか１項に記載の使用角度を変更可能な芳香器。
【請求項６】
前記角度変調可能な電気プラグ装置は、更にフレグランスユニットを該導熱容器内に結合する請求項５に記載の使用角度を変更可能な芳香器。
【請求項７】
更に、フレグランスカプセルを導熱容器内に結合し、該フレグランスカプセルは、更に使い捨て式容器、フレグランスを含み、該使い捨て式容器は、開口を有し、該フレグランスが使い捨て式容器中に安置される請求項５に記載の使用角度を変更可能な芳香器。
【請求項８】
更に、フレグランスストーンを導熱容器内に結合し、該フレグランスストーンは、複数の孔、液体フレグランスを含み、前記孔が該液体フレグランスを吸収し、該フレグランスストーンを形成する請求項５に記載の使用角度を変更可能な芳香器。
【請求項９】
前記導熱容器底部は、導熱底板であり、該導熱容器は、中空殻体であり、該導熱底板は、導熱容器２底側に結合又は形成され、該導熱底板底側が該螺子孔フレームに結合し、該螺子孔フレームは、固定孔を含み、該抵抗は、該導熱底板下に当接し、該抵抗下側がパッドを結合し、螺子を利用し、固定孔を通過し、該パッドを上向きに押し上げ、該抵抗を押し上げ、該導熱容器底部の導熱底板に緊密に接触する請求項１に記載の使用角度を変更可能な芳香器。
【考案の詳細な説明】
【技術分野】
【０００１】
本考案は、使用角度を変更可能な芳香器に関する。
【背景技術】
【０００２】
既存の一般の加熱式の芳香器、例えば、米国特許US 8066420、US 8262277、US 8147116の芳香器は、電源、灯具、エッセンシャルオイル又はアロマキャンドル等を含み、傾き倒れた場合に危険を生じ易く、且つ使用者が労力を費やして該アロマキャンドル、エッセンシャルオイルの残留物を該容器中から取り出し、時間を費やして該芳香器を洗浄する必要があり、新しいアロマキャンドル、エッセンシャルオイルに交換する過程が緩慢で不便である。
【０００３】
既存の芳香器は、更に芳香器の使用方向を回転させる又は電源プラグの角度を変化させ、各種場所の電気プラグの方向に合わせることができず、その他の空間に随時形態して電源に接続して使用することが困難であり、例えば、自動車内で電気接続して使用、室内、オフィスの場所やモバイル装置の電源に接続して使用すること等が困難であるので、前記芳香器は、複雑な芳香器角度変換構造を提供し、これら複雑な芳香器構造は、売値を高くする以外にその製造が困難であり、且つ複雑な角度を回転させる構造は、損壊率も高く、これらは、克服が必要な問題である。
【先行技術文献】
【特許文献】
【０００４】
【特許文献１】登録実用新案第３１３４７７８号公報
【考案の概要】
【考案が解決しようとする課題】
【０００５】
上記既存の技術の問題に鑑み、本考案は、使用角度を変更可能な芳香器を提供し、使用角度変更構造が簡単で損壊し難く、異なる場所に携帯し、各式コンセントの方向に合わせて使用でき、使い捨て式フレグランスユニットを組み合わせることができ、使用完了したフレグランスユニットを捨てることができ、フレグランスの交換が便利で迅速であり、安全に使用することができるようにする。
【課題を解決するための手段】
【０００６】
本考案の使用角度を変更可能な芳香器は、中空殻体と、導熱容器と、抵抗と、角度を変調可能な電気プラグ装置と、を含み、該中空殻体は、第１開口及び第２開口を含み、該導熱容器が中空殻体内に結合し、該導熱容器は、開放端を有し、該開放端は、第１開口に向き、該抵抗は、導熱容器下側に設けられ、該角度変調可能な電気プラグ装置は、中空殻体の第２開口に接続し、該角度変調可能な電気プラグ装置が該抵抗に電気接続し（図示せず）、従って、該中空殻体及び該角度変調可能な電気プラグ装置は、相互に回転して角度を変調でき、これにより、該角度変調可能な電気プラグ装置は、電源ユニットに結合し、該使用角度を変更可能な芳香器の中空殻体の第１開口、導熱容器の開放端は、該角度変調可能な電気プラグ装置に対し、上向きに角度を変調するよう回転することができ、導熱容器及び開放端を上方向へ向かせ、該導熱容器内に開放端からフレグランスユニットを挿入し、電源ユニットが該抵抗に熱源を発生し、該導熱容器に伝熱し、上方向へ香りを加熱発生し、漂わせ、同時に本考案の使用角度を変更可能な芳香器の導熱容器は、直線方向から角度を変調し折り曲げた後、比較的空間を占拠しないようにすることができる。
【０００７】
該角度変調可能な電気プラグ装置は、各種場所における異なる方向のコンセントの方向に結合適用でき、例えば、車両充電源、電源供給器、各種電源コンセントの異なる挿入方向に結合でき、中空殻体を利用し、該角度変調可能な電気プラグ装置に相対して角度を変化させ、導熱容器の開放端及びその内部のフレグランスユニットが上向きの一定の傾斜角度へフレグランスを傾けるよう維持し、本考案を異なるコンセントの方向に使用させ、香りを安全に加熱発生させ、漂わせ、例えば、車両内、飛行機内、オフィス、住宅内等に使用可能にする。
【考案の効果】
【０００８】
本考案の実施例において、該使用角度を変更可能な芳香器は、使い捨て式のフレグランスユニットを該導熱容器内に結合し、フレグランスを発生し、該フレグランスユニットは、例えば、フレグランスカプセル、フレグランスストーン、エッセンシャルオイルを吸着した吸着体（例えば、海綿又は不織布、綿にエッセンシャルオイルを吸着させたもの）又は各種フレグランスであり、本考案のフレグランスユニットは、使用完了後、使い捨てでき、フレグランスの交換に便利であり、安全に使用できるので、本考案は、携帯に便利であり、異なる場所へ適用することができる。
【図面の簡単な説明】
【０００９】
【図１】使用角度を変更可能な芳香器の立体図である。
【図２】本考案の該使用角度を変更可能な芳香器の分解立体図である。
【図３ａ】本考案の使用角度を変更可能な芳香器の断面図１である。
【図３ｂ】本考案の使用角度を変更可能な芳香器の断面図２である。
【図４】本考案の使用角度を変更可能な芳香器の角度変調可能な電気プラグ装置の分解立体図である。
【図５ａ】本考案の使用角度を変更可能な芳香器の動作説明図である。
【図５ｂ】本考案の使用角度を変更可能な芳香器の動作説明図である。
【図６】本考案の使用角度を変更可能な芳香器のフレグランスカプセルの分解立体図である。
【図７】本考案の使用角度を変更可能な芳香器にフレグランスストーンを結合した断面図である。
【考案を実施するための形態】
【００１０】
図１〜図４を参照し、本考案の実施例において、該使用角度を変更可能な芳香器１００は、中空殻体１と、導熱容器２と、抵抗３と、角度を変調可能な電気プラグ装置５と、を含み、該中空殻体１は、第１開口１１及び第２開口１３を含み、該導熱容器２が中空殻体１内に結合し、該導熱容器２は、開放端２１を有し、該開放端２１は、第１開口１１に向き、該抵抗３は、導熱容器２下側に設けられ、該角度変調可能な電気プラグ装置５は、該抵抗３に電気接続し（図示せず）、中空殻体の第２開口に接続し、該角度変調可能な電気プラグ装置が該抵抗を電気接続し（図示せず）、該角度変調可能な電気プラグ装置５は、中空殻体１の第２開口１３に接続し、従って、該中空殻体１及び該角度変調可能な電気プラグ装置５は、相互に回転して角度を変調でき、これにより、該角度変調可能な電気プラグ装置５は、電源ユニットに結合し、該使用角度を変更可能な芳香器１００の中空殻体１の第１開口１１、内部の導熱容器２の開放端２１は、該角度変調可能な電気プラグ装置５に対し、上向きに角度を変調するよう回転することができ、導熱容器２及び開放端２１を上方向へ向かせ、該導熱容器２内に開放端２１からフレグランスユニット７００を挿入し、電源ユニットが該抵抗３に熱源を発生し、該導熱容器２に伝熱し、上方向へ香りを加熱発生し、漂わせ、同時に本考案の使用角度を変更可能な芳香器１００の導熱容器２は、直線方向から角度を変調し折り曲げた後、比較的空間を占拠しないようにすることができる。
【００１１】
従って、該角度変調可能な電気プラグ装置５は、各種場所における異なる方向のコンセントの方向に携帯使用でき、例えば、車両充電源、電源供給器、各種電源コンセントの異なる挿入方向に結合でき、中空殻体１を利用し、該角度変調可能な電気プラグ装置５に相対して角度を変化させ、導熱容器２の開放端２１及びその内部のフレグランスユニット７００が上向きの一定の傾斜角度へフレグランスを傾けるよう維持し、本考案に香りを安全に加熱発生させ、漂わせ、例えば、車両内、飛行機内、オフィス、住宅内等に使用可能にする。
【００１２】
本実施例の使用角度を変更可能な芳香器１００は、更に、パッド３１を含む。該導熱容器２下側に更に螺子孔フレーム２３１を結合し、これにより螺子を利用し、螺子孔フレーム２３１に通過させ、該パッド３１を押し上げ、該抵抗３を押し上げ、該導熱容器２下側に結合させる。
【００１３】
図１〜図５ａ，図５ｂを参照し、本考案の実施例の角度変調可能な電気プラグ装置５は、更に、前蓋５１と、後蓋５３と、軸蓋５５と、歯蓋５７と、を含み、該前蓋５１一側は、第３軸孔５７１を含み、該前蓋５１は、該後蓋５３に結合し、該歯蓋５７は、該前蓋５１一側に結合し、前記第１軸孔５１１、第２軸孔５３１、第３軸孔５７１が対応して通過し、該軸蓋５５は、該前蓋５１一側に結合し、同時に該軸５５１が該第１軸孔５１１、第２軸孔５３１、第３軸孔５７１を通過し、これにより、該角度変調可能な電気プラグ装置５は、異なるコンセント方向に結合して使用することができ、該使用角度を変更可能な芳香器１００の中空殻体１及び内部の導熱容器２は、該軸５５１が第１軸孔５１１、第２軸孔５３１、第３軸孔５７１内で回転して該角度変調可能な電気プラグ装置５に相対し、上向きに角度を変調し、中空殻体１の第１開口１１及び導熱容器２の開放端２１が上向きに固定され、導熱容器２内部のフレグランスユニット７００が熱を受けて開放端２１から上向きに香りを漂わせる。
【００１４】
本考案の実施例において、該軸蓋５５は、更に、軸蓋５５一端に形成される第１凸翼５５３を含み、該歯蓋５７は、更に、歯蓋５７一端に形成される第２凸翼５７３を含み、前記角度を変調可能な電気プラグ装置５は、更に、接続部５９を含み、該接続部５９中央に通口５９１を有し、角度変調可能な電気プラグ装置５から電源ケーブルを通過させ抵抗３へ電気接続させることに用い、該接続部５９が該通口５９１底側端縁から外向きに環溝５９３を形成し、該接続部５９は、前記中空殻体１の第２開口１３に結合し、該第１凸翼５５３が該環溝５９３一側に結合し、該第２凸翼５７３が該環溝５９３他側に対応して結合し、該角度変調可能な電気プラグ装置５は、該接続部５９により該中空殻体１と接続する。
【００１５】
該使用角度を変更可能な芳香器１００は、更に、回路板（PCB）１６（図２参照）を含み、該中空殻体１内に結合し、該回路板１６が該角度変調可能な電気プラグ装置５、抵抗３に電気接続し、該回路板１６は、螺子孔１６１を含む。相対して該接続部５９が螺子柱５９５を凸伸し、螺子１６３を利用し、該螺子孔１６１に貫通設置し、該螺子柱５９５を螺合し、該角度変調可能な電気プラグ装置５は、該接続部５９及び回路板１６により該中空殻体１と接続することができる。
【００１６】
該前蓋５１一側に更に凹陥した壁面５１２を含み、壁面５１２底側から第１リッジ部５１３を垂直に延伸形成し、前記第１軸孔５１１は、該第１リッジ部５１３に形成され、相対する後蓋５３一側に更に凹関する壁面５３２を含み、該壁面５３２は、係合孔５３２１を有し、該壁面５３２底側に第２リッジ部５３３を垂直に延伸形成し、前記第２軸孔５３１は、該第２リッジ部５３３一側面に形成され、該後蓋５３は、更に、該係合孔５３２１に隣接する操作孔５３４を含み、該角度変調可能な電気プラグ装置５は、更に１つの活動歯部材５３６、弾性部材５３８を含み、該弾性部材５３８は、例えば、バネ又は弾性片であり、該弾性部材５３８一側に該活動歯部材５３６を係合し、他側が該前蓋５１内側に係合する。該活動部材５３６は、凸伸する押圧把手５３６１を含み、該押圧把手５３６１は、内から外へ活動可能に該操作孔５３４に穿合する。前記歯蓋５７は、更に歯部５７５を含み、該第３軸孔５７１周縁の一部分に環設される。これにより、前記活動歯部材５３６は、該係合孔５３２１箇所で上下動作し、該歯部５７５と係合又は分離し、係合する場合、該角度変調可能な電気プラグ装置５及び該中空殻体１が固定され、本考案の使用角度を変調する時、内向きに該押圧把手５６３１を押し込み、弾性部材５３８を圧縮させ、前記活動歯部材５３６が該歯部５７５から離脱し、該使用角度を変更可能な芳香器１００の中空殻体１及び内部の導熱容器２は、該角度変調可能な電気プラグ装置５に相対して上向きに回転し、角度を変調させることができ、該押圧把手５６３１を緩めれば、該弾性部材５３８が凸伸し、該活動部材５３６を押し上げ、該活動部歯部５３６に係合するよう復帰し、中空殻体１及び導熱容器２の開放端２１が上に向き、導熱容器２内部に挿入したフレグランスユニット７００が熱を受けて開放端２１から上向きに香りを漂わせる。
【００１７】
本実施例図２を参照し、該導熱容器２底部は、導熱底板２３であり、該導熱容器２は、中空殻体であり、該導熱底板２３は、導熱容器２底側に結合又は形成され、該導熱底板２３底側が該螺子孔フレーム２３１に結合し、該螺子孔フレーム２３１は、固定孔２３３を含み、該抵抗３は、該導熱底板２３下に当接し、該抵抗３下側がパッド３１を結合し、螺子３３を利用し、固定孔２３３を通過し、該パッド３１を上向きに押し上げ、該抵抗３を押し上げ、該導熱容器２底部の導熱底板２３に緊密に接触し、該導熱容器２が絶縁材料であり、伝熱せず、該導熱底板２３は、金属から選択し、これにより該抵抗３の熱源が該導熱底板２３に伝達され、該フレグランスユニット７００を加熱し、導熱効果が良好であり、該導熱容器２の周辺殻体が伝熱しないので、本考案の外部は、伝熱されて温度上昇することがない。
【００１８】
図２、図６を参照し、本考案の実施例において、該使用角度を変更可能な芳香器１００は、フレグランスユニット７００を該導熱容器２内に結合し、香りを発生し、該フレグランスユニット７００は、好ましくは、使い捨て式のフレグランスユニット７００であり、例えば、フレグランスカプセル、フレグランスストーン、エッセンシャルオイルを吸着した吸着体（例えば、海綿又は不織布、綿がエッセンシャルオイルを吸着したもの）又は各種フレグランスであり、該フレグランスユニット７００のフレグランスの使用が完了時に使い捨てでき、フレグランスの交換に便利であり、安全に使用でき、各種場所に携帯して使用することに簡単で便利である。
【００１９】
図２、図３a、図３b、図６を参照し、本考案の実施例において、前記使用角度を変更可能な芳香器１００は、更にフレグランスカプセル７を結合し、該フレグランスカプセル７は、該導熱容器２内に安置でき、該フレグランスカプセル７は、使い捨て式の容器７１、フレグランス７５を更に含み、該使い捨て式の容器７１は、開口７１１を有し、該フレグランス７５は、使い捨て式の容器７１中に安置される。該フレグランス７５は、例えば、フレグランスブロックであり、該フレグランスブロックは、例えば、アロマキャンドル、アロマブロックであり、本実施例は、アロマキャンドルである。電源を抵抗３に電気接続し、熱源を該導熱容器２に発生し、該導熱底板２３は、該使い捨て式の容器７１及び該フレグランス７５に伝熱し、香りを発生することに用いる。
【００２０】
図２、図３a、図３b、図６を参照し、本考案の比較実施例において、該フレグランスカプセル７は、更に、通気膜７３を含み、該通気膜７３は、該使い捨て式の容器７１の開口７１１に結合する。
【００２１】
該通気膜７３の通気孔は、上方向にフレグランス７５（アロマキャンドル）の香りを環境中に散逸させることに用い、該通気膜７３は、例えば、布（例えば、不織布、繊維布、麻布、帆布）、繊維片、通孔フィルム、通孔金属箔等の任意の１種であり、本実施例において、該通気膜７３は、通孔フィルムを選択し、該通孔フィルムの周縁が該使い捨て式容器７１の開口７１１に結合し、使用角度を変更可能な芳香器１００が不注意で傾き倒れる時、該使い捨て式容器７１のアロマキャンドルの溶液の流体が該通気膜７３の阻害を受けて車内に落ちるか、その他の使用空間に流れ、汚染又は危険を発生することがなく、より安全である。
【００２２】
本考案の実施例において、該フレグランスカプセル７は、該通気膜７３を結合しないか、該通気膜７３を結合する状況において、該フレグランスカプセル７は、更に、密封蓋７２を含み、該使い捨て式容器７１の開口７１１に結合し、フレグランスカプセル７内部のフレグランス７５（例えば、アロマキャンドル）を保存することに用い、運送過程において、汚染又は香りの散失を生じることがなく、使用準備前に密封蓋７２を開き、該フレグランスカプセル７を該導熱容器２内に安置することができる。
【００２３】
該使い捨て式容器７１は、例えば、金属、及び硬質プラスチック、繊維碗（植物繊維、例えば、コーン繊維、ガラス繊維、炭素繊維）、複合材料等の任意の１種を選択する。
【００２４】
本実施例において、該使い捨て式容器７１は、アルミホイル（Foil）の金属で形成されるアルミ箔碗を選択する。従って、該使い捨て式容器７１は、既に軽く且つ薄く、良好な導熱機能を有し、該抵抗３が発生する熱エネルギーを該使い捨て式容器７１及びフレグランス７５に伝導し、加熱に用い、該フレグランス７５に香りを発散させる。また、該アルミ箔の使い捨て式容器７１は、従来の加熱器のエッセンシャルオイル、アロマキャンドルを収容するセラミックボウル、ガラス容器等の壊れ易い製品と異なり、強靭で壊れにくい。
【００２５】
フレグランス７５は、該使い捨て式容器７１内に安置し、既存の容器内に安置しないので、使用者が該フレグランス７５を使用する時、ただ該密封蓋７２を開くことのみ必要であるので（図２〜図３参照）、該フレグランス７５に触れることがない。更に、該フレグランス７５は、導熱容器２の開放端２１において熱を受けて揮発を完了後、使用者が異なる香りのフレグランスを使用したい場合、該使い捨て式容器７１を洗浄する必要がなく、ただ該使い捨て式容器７１を該導熱容器２の開放端２１から除き、また、異なる香りを有する該フレグランスカプセル７を該導熱容器２に安置するだけでよい。また、使用者がアルミ箔制である該使い捨て式容器７１外殻を使用するので、該使い捨て式容器７１を破壊することを心配する必要がなく、洗浄する必要もない。使用者は、該フレグランス７５を装着する容器を別途準備する必要がない。
【００２６】
図７を参照し、本考案の実施例において、前記使用角度を変更可能な芳香器１００は、更にフレグランスストーン７０を結合し、該導熱容器２内に安置する。
【００２７】
これにより、該角度変調可能な電気プラグ装置５は、電源を抵抗３に接続し、熱源を発生し、該導熱容器２に与え、該導熱容器２は、該フレグランスストーン７０に伝熱し、香りを発生することに用いる。
【００２８】
該フレグランスストーン７０は、孔を有するセラミック、石膏、繊維ブロック、孔を有する耐熱ゲル体、ソープストーン、紙材、多孔質土壌、木材の任意の１種を選択し、該液体フレグランスを吸収し、該液体フレグランスは、例えば、エッセンシャルオイル、香料、フラワーエッセンス、香水の任意の１種である。
【００２９】
該フレグランスストーン７０は、本実施例では、好ましくは、孔を有するセラミックが該エッセンシャルオイルを吸収したものであり、該抵抗３は、ただ該フレグランスストーン７０を加熱することのみ必要であり、そのうちのエッセンシャルオイル分子を香りとして空間中に散逸することを達成でき、本実施例において、孔を有する吸着材料を用いることもでき、例えば、海綿にエッセンシャルオイルを吸収したものでフレグランスストーン７０に取って代えることもでき、また、同一の効果を有するものであることもできるが、ここでは、更に記載しない。
【００３０】
フレグランスストーン７は、固体の孔にエッセンシャルオイルを内部に吸着したものであり、交換で手を汚すことがなく、且つ使用完了時に使い捨てできるので、使用者は、該エッセンシャルオイルに触れることなく、異なる香りのフレグランスストーン７と交換でき、該導熱容器２内に安置することが迅速で便利であり、芳香器を傾けてエッセンシャルオイル流体が芳香器、抵抗中に落ちるか、外流することがなく、より安全である。
【００３１】
本考案の実施例において、前記角度を変調な電気プラグ装置５は、車両の充電プラグであり、該車両充電式プラグは、本考案の車両内空間に結合し、フレグランスを使用し、使用者が任意の車両へ携帯して使用することができ、香りを車内に発生させることができる。本考案の実施例において、図１〜図４を参照し、使用角度を変更可能な芳香器１００は、更に、蓋体１５を含み、該蓋体１５は、通気孔１５１を含み、前記蓋体１５は、分解可能に導熱容器２上の該通気孔１５１に結合し、香りを散逸することに用い、本実施例は、該導熱容器２上側は、磁石Ｍ及び該蓋体１５を結合し、磁石Ｍ１を更に結合し、これにより、磁石Ｍ及びＭ１が互いに引き合い、該蓋体１５を分解可能に導熱容器２上に結合することに用いる。
【００３２】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３３】
１００  使用角度を変更可能な芳香器
１  中空殻体
１１  第１開口
１３  第２開口
１５  蓋体
１５１  通気孔
１６  回路板
１６１  螺子孔
１６３  螺子
２  導熱容器
２１  開放端
２３  導熱底板
２３１  螺子孔フレーム
２３３  固定孔
３  抵抗
３１  パッド
３３  螺子
５  角度変調可能な電気プラグ装置
５１  前蓋
５１１  第１軸孔
５１２  壁面
５１３  第１リッジ部
５３  後蓋
５３１  第１二軸孔
５３２  壁面
５３２１  係合孔
５３３  第２リッジ部
５３４  操作孔
５３６  活動歯部材
５３６１  押圧把手
５３８  弾性部材
５５  軸蓋
５５１  軸
５５３  第１凸翼
５７  歯蓋
５７１  第３軸孔
５７３  第２凸翼
５７５  歯部
５９  接続部
５９１  通口
５９３  環溝
７００  フレグランスユニット
７  フレグランスカプセル
７０  フレグランスストーン
７３  通気膜
７５  フレグランス
Ｍ，Ｍ１  磁石
【図１】
0003184724.tif 000003
【図２】
0003184724.tif 000004
【図３ａ】
0003184724.tif 000005
【図３ｂ】
0003184724.tif 000006
【図４】
0003184724.tif 000007
【図５ａ】
0003184724.tif 000008
【図５ｂ】
0003184724.tif 000009
【図６】
0003184724.tif 000010
【図７】
0003184724.tif 000011